(57)【要約】【課題】サイドガイドの下方に位置する下部カバーとシート支持面との間に形成される開口部を介して、給送トレイに支持された最上位のシートから順に１枚ずつ装置本体内に搬送するシート搬送装置であって、シートの外形サイズに因らず、前記開口部より砂塵や埃等の異物が侵入するのをより確実に抑制することが可能なシート搬送装置、および前記シート搬送装置を備える画像記録装置を提供する。【解決手段】シート１８の給送方向と直交する方向である幅方向において、サイドガイド１３とシート支持面５１のシート１８が支持される側とは反対側の端部との間に配置され、下部カバー１４とシート支持面５１との間に形成された開口部Ｘにおける、サイドガイド１３とシート支持面５１の前記端部との間の領域を、サイドガイド１３の前記幅方向への変位に追随して覆う防塵部材６とを備える。【選択図】図３
2018165208.tif 000002
【特許請求の範囲】
【請求項１】
装置本体と、
前記装置本体に第１回動軸を中心として回動可能に支持され、前記装置本体に近接する閉位置と前記装置本体から離間する開位置との間で変位可能であり、シートを支持するシート支持面を有する給送トレイと、
前記シート支持面に前記シートの給送方向と直交する方向である幅方向へ移動可能に設けられ、前記給送トレイに支持された前記シートの幅方向の位置を規制するサイドガイドと、
前記サイドガイドの下方において前記シート支持面から離間するとともに前記シート支持面に対向して配置され、前記シート支持面との間に開口部を形成する下部カバーと、
前記幅方向において、前記サイドガイドと前記シート支持面の前記シートが支持される側とは反対側の端部との間に配置され、前記開口部における前記サイドガイドと前記シート支持面の前記端部との間の領域を、前記サイドガイドの前記幅方向への変位に追随して覆う防塵部材とを備える、
ことを特徴とするシート搬送装置。
【請求項２】
前記防塵部材の第１端部は、前記サイドガイドに固定され、
前記防塵部材の前記第１端部と反対側の第２端部は、前記シート支持面の前記端部に固定され、
前記防塵部材は、前記サイドガイドの前記幅方向への変位に追随して伸縮する伸縮部材である、
ことを特徴とする請求項１に記載のシート搬送装置。
【請求項３】
前記シート支持面は、
前記サイドガイドと前記シート支持面の前記端部との間に形成され、前記幅方向に延出する溝部を備え、
前記防塵部材の前記シート支持面側の端部は、前記溝部に摺動可能に嵌挿される、
ことを特徴とする請求項１又は請求項２に記載のシート搬送装置。
【請求項４】
前記防塵部材は、
第１端部が前記シート支持面の前記端部に前記第１回動軸と直交する第２回動軸を中心として回動可能に支持され、
前記シートの給送方向に沿って延出する第１姿勢と、前記シートの給送方向と交差する方向へ延出する第２姿勢との間で変位可能な板状部材と、
前記板状部材を前記第１姿勢側から前記第２姿勢側へ向けて付勢する付勢部材とを備え、
前記板状部材は、前記サイドガイドの前記幅方向への変位に追随して、前記付勢部材の付勢力により前記サイドガイドに当接した状態を保持しながら、第２回動軸を中心として回動する、
ことを特徴とする請求項１に記載のシート搬送装置。
【請求項５】
前記サイドガイドが最小サイズのシートの前記幅方向の位置を規制する位置に変位すると、
前記防塵部材は前記サイドガイドとの当接状態が解除され、前記シートの搬送方向と直交する方向へ延出する姿勢となる、
ことを特徴とする請求項４に記載のシート搬送装置。
【請求項６】
請求項１〜請求項５の何れか一項に記載のシート搬送装置と、前記シート搬送装置により搬送される前記シートに画像を記録する画像記録部とを備える、
ことを特徴とする画像記録装置。
【発明の詳細な説明】
【技術分野】
【０００１】
本発明は、シート搬送装置および画像記録装置の技術に関し、より詳しくは、シートの外形サイズに因らず、サイドガイドの下方に位置する下部カバーとシート支持面との間に形成される開口部より、砂塵や埃等の異物が侵入するのを抑制する防塵部材の技術に関する。
【背景技術】
【０００２】
従来から、装置本体と、前記装置本体に対して回動可能に支持されるとともに、複数のシートを支持する給送トレイとを備えるシート搬送装置、および前記シート搬送装置を備える画像記録装置が知られている。
前記シート搬送装置においては、装置本体と離間する方向に回動させて後傾姿勢にて保持された給送トレイに対して、積層状態の複数のシートを上方より挿入して予め支持しておき、記録動作時には、装置本体に設けられた開口部を介して最上位のシートから順に１枚ずつ装置本体内に搬送する構成となっている。
そのため、シートが装置本体内に搬送される際等に、サイドガイドの下方に位置する下部カバーとシート支持面との間に形成される、シート搬送用の開口部より砂塵等の異物が装置本体内に侵入して、動作不良の原因となる虜があり、このような異物の侵入を抑制するための技術が、例えば「特許文献１」によって開示されている。
【先行技術文献】
【特許文献】
【０００３】
【特許文献１】特開２００５−１８７１６６号公報
【発明の概要】
【発明が解決しようとする課題】
【０００４】
ところで、搬送されるシートについては複数種類の外形サイズのものが用いられるところ、前記開口部の形状は、幅方向の寸法が最も長い外形サイズのシートに合わせて形成されている。
そのため、幅方向の寸法が最も長い外形サイズを除く、他の外形サイズのシートを用いる場合、前記開口部におけるサイドガイドとシート支持面の端部との間の領域が外部に露呈した状態となり、前記領域から砂塵等の異物が装置本体内に侵入して、動作不良の原因となる虜があった。
【０００５】
本発明は、以上に示した現状の問題点を鑑みてなされたものであり、複数のシートを積層状態で支持する給送トレイを備え、サイドガイドの下方に位置する下部カバーとシート支持面との間に形成される開口部を介して、給送トレイに支持された最上位のシートから順に１枚ずつ装置本体内に搬送するシート搬送装置であって、シートの外形サイズに因らず、前記開口部より砂塵や埃等の異物が侵入するのをより確実に抑制することが可能なシート搬送装置、および前記シート搬送装置を備える画像記録装置を提供することを課題とする。
【課題を解決するための手段】
【０００６】
本発明の解決しようとする課題は以上の如くであり、次にこの課題を解決するための手段を説明する。
【０００７】
上記課題を解決するシート搬送装置および画像記録装置は、以下の特徴を有する。
即ち、シート搬送装置および画像記録装置は、装置本体と、前記装置本体に第１回動軸を中心として回動可能に支持され、前記装置本体に近接する閉位置と前記装置本体から離間する開位置との間で変位可能であり、シートを支持するシート支持面を有する給送トレイと、前記シート支持面に前記シートの給送方向と直交する方向である幅方向へ移動可能に設けられ、前記給送トレイに支持された前記シートの幅方向の位置を規制するサイドガイドと、前記サイドガイドの下方において前記シート支持面から離間するとともに前記シート支持面に対向して配置され、前記シート支持面との間に開口部を形成する下部カバーと、前記幅方向において、前記サイドガイドと前記シート支持面の前記シートが支持される側とは反対側の端部との間に配置され、前記開口部における前記サイドガイドと前記シート支持面の前記端部との間の領域を、前記サイドガイドの前記幅方向への変位に追随して覆う防塵部材とを備える。
【発明の効果】
【０００８】
本発明によれば、シートの外形サイズに因らず、前記開口部より砂塵や埃等の異物が侵入するのをより確実に抑制することができる。
【図面の簡単な説明】
【０００９】
【図１】複合機を示す斜視図である。
【図２】背面給送トレイが開位置に変位した状態のシート搬送装置を示す側面断面図である。
【図３】サイドガイドが近接位置に変位した状態における、防塵部材を備えた背面給送トレイを示す図であって、装置本体側から見た正面図である。
【図４】サイドガイドが離間位置に変位した状態における、防塵部材の近傍を示した図であって、装置本体側から見た拡大正面図である。
【図５】サイドガイドが近接位置に変位した状態における、防塵部材の近傍を示した図であって、装置本体側から見た拡大正面図である。
【図６】サイドガイドが近接位置に変位した状態における、第２別実施形態の防塵部材を備えた背面給送トレイを示す図であって、装置本体側から見た正面図である。
【図７】サイドガイドが離間位置に変位した状態における、第２別実施形態の防塵部材の近傍を示した図であって、装置本体側から見た拡大正面図である。
【図８】サイドガイドが近接位置に変位した状態における、第２別実施形態の防塵部材の近傍を示した図であって、装置本体側から見た拡大正面図である。
【図９】サイドガイドが近接位置に変位した状態における、第３別実施形態の防塵部材を備えた背面給送トレイを示す図であって、装置本体側から見た正面図である。
【図１０】サイドガイドが離間位置に変位した状態における、第３別実施形態の防塵部材の近傍を示した図であって、装置本体側から見た拡大正面図である。
【図１１】サイドガイドが近接位置と離間位置との間の位置に変位した状態における、第３別実施形態の防塵部材の近傍を示した図であって、装置本体側から見た拡大正面図である。
【図１２】サイドガイドが近接位置に変位した状態における、第３別実施形態の防塵部材の近傍を示した図であって、装置本体側から見た拡大正面図である。
【発明を実施するための形態】
【００１０】
次に、本発明を実施するための形態を、添付の図面を用いて説明する。
【００１１】
[複合機１の概略構成]
図１に示す複合機１は、本発明に係る画像記録装置を備えた複合機の一実施形態であり、下部に備えられた前記画像記録装置の一例としてのプリンタ部Ｐと、プリンタ部Ｐの上方に配置されたスキャナ部Ｓとを一体的に備えている。複合機１は、プリンタ機能、スキャナ機能、コピー機能、及びファクシミリ機能等を有しており、プリンタ機能を有するプリンタ部Ｐは、インクジェット記録方式のプリンタに構成されている。
以下の説明では、図１に示すように、複合機１が使用可能に設置された状態を基準として、前後方向、左右方向、上下方向の各方向を規定する。
【００１２】
プリンタ部Ｐにおいては、複合機１に接続されたコンピュータ、デジタルカメラ及びＵＳＢメモリ等の外部機器、並びに複合機１に装着されたメモリーカード等の各種記憶媒体から入力される画像データ等に基づいて、記録用紙等のシート１８（例えば、図２を参照）に画像等を記録する。
【００１３】
プリンタ部Ｐは略直方体状に形成される装置本体２を有しており、装置本体２の前面における左右中央部には開口部４が形成されている。開口部４内には、シート１８を略水平な姿勢で支持する前面給送トレイ２０及び前面給送トレイ２０の上面に形成される排出トレイ２１が設けられている。前面給送トレイ２０は上下方向に２段設けられており、排出トレイ２１は、上方の前面給送トレイ２０の上面に設けられている。
また、装置本体２の前面には、複合機１の状態や機能等を表示する表示部及び複合機１に対する入力操作を行う操作部を有した操作パネル２２が設けられている。
【００１４】
装置本体２の後面には、シート１８を支持する背面給送トレイ５が設けられている。背面給送トレイ５は、装置本体２に設けられる収容部１１を介して、装置本体２に回動可能に支持されている。また、装置本体２内は、前面給送トレイ２０及び背面給送トレイ５に支持されているシート１８に画像等を記録する記録部２４を収容している。
プリンタ部Ｐは、背面給送トレイ５に支持されるシート１８を記録部２４へ搬送するためのシート搬送装置３を備えている。
【００１５】
[シート搬送装置３の構成]
図２に示すように、シート搬送装置３は、装置本体２と、背面給送トレイ５と、サイドガイド１３と、防塵部材６と、下部カバー１４とを備えている。
ここで、背面給送トレイ５は、装置本体２に第１回動軸５ａを中心として回動可能に支持され、シート１８を支持する。また、サイドガイド１３及び防塵部材６は、シート支持面５１に設けられる。さらに、下部カバー１４は、サイドガイド１３の下方（より具体的には、サイドガイド１３の斜め前下方）においてシート支持面５１から上方に離間するとともにシート支持面５１に対向して配置され、シート支持面５１との間に開口部Ｘを形成する。
【００１６】
なお、背面給送トレイ５は、装置本体２に第１回動軸５ａを中心として回動可能に支持される給送トレイの一例である。
【００１７】
シート搬送装置３は、背面給送トレイ５に支持されるシート１８を、背面給送トレイ５の下端部の前側に位置する給送ローラ７１により一枚ずつ本体側の搬送経路へ向けて給送する装置である。
そして、背面給送トレイ５から前記搬送経路へ給送されるシート１８は、装置本体２において第１回動軸５ａの前側に形成される給送口Ｙを通じて、背面給送トレイ５から前記搬送経路まで搬送される。
【００１８】
背面給送トレイ５は、第１回動軸５ａを中心として回動することにより、装置本体２に近接する閉位置と、装置本体２から離間する開位置との間で変位可能に構成されている。
ここで、閉位置とは、図２において、２点鎖線で示された背面給送トレイ５Ａの位置を意味する。また、開位置とは、図２において、実線で示された背面給送トレイ５Ｂの位置を意味する。
なお、背面給送トレイ５が開位置にあるときに上側に位置する面が、シート１８を支持するシート支持面５１に構成されている。
【００１９】
また、図３に示すように、シート支持面５１には、シート１８の給送方向（矢印Ａの方向）と直交する方向である幅方向へ移動可能に設けられ、背面給送トレイ５に支持されたシート１８の幅方向の位置を規制する一対のサイドガイド１３が設けられている。
なお、本実施形態においては、シート１８の幅方向とは、給紙方向と直交する左右方向を意味する。
【００２０】
一対のサイドガイド１３は、左右方向に移動させることにより、互いのサイドガイド１３が近接する近接位置と、互いのサイドガイド１３が離間する離間位置との間で変位可能に構成されている。
ここで、近接位置とは、図３において、実線で示されたサイドガイド１３Ａの位置を意味する。また、離間位置とは、図３において、２点鎖線で示されたサイドガイド１３Ｂの位置を意味する。
【００２１】
そして、シート搬送装置３においては、シート支持面５１に支持されるシート１８の幅方向のサイズに応じて一対のサイドガイド１３を左右方向に移動させることで、シート幅が異なる複数種類のシート１８をシート支持面５１に支持することが可能となっている。
【００２２】
なお、本実施形態においては、シート支持面５１に一対のサイドガイド１３を設けることとしているが、これに限定されることはない。
即ち、例えばシート支持面５１における左右両側の一方の端部において、シート支持面５１より支持される固定ガイドを設け、且つ前記左右両側の他方の端部において、前記固定ガイドと対向しつつ近接離間方向に移動可能に１個のサイドガイド１３を設けてもよい。
【００２３】
防塵部材６は、シート支持面５１上の左右方向（シート１８の幅方向）の両側において、サイドガイド１３と、シート支持面５１のシート１８が支持される側とは反対側の端部との間に配置される。
具体的には、防塵部材６は、右側のサイドガイド１３の右側面とシート支持面５１の右側端部との間、及び左側のサイドガイド１３の左側面とシート支持面５１の左側端部との間に配置される。
【００２４】
なお、本実施形態においては一対の防塵部材６を設けることとしているが、これに限定されることはなく、例えば上述したように、一対のサイドガイド１３の内の何れか一方を固定ガイドにて代替する場合においては、１個の防塵部材６で足りる。
【００２５】
そして、防塵部材６は、シート支持面５１と下部カバー１４との間に形成された開口部Ｘ（図２を参照）における、サイドガイド１３とシート支持面５１の端部との間の領域を、サイドガイド１３の前記幅方向への変位に追随して覆うように構成されている。
ここで、前記端部とは、上述したシート支持面５１のシート１８が支持される側とは反対側の端部を意味する。
【００２６】
このような構成により、シート１８の外形サイズ（幅方向の寸法サイズ）に基づきサイドガイド１３を移動させることで、開口部Ｘにおけるサイドガイド１３とシート支持面５１の前記端部との間の領域が変化しても、防塵部材６により前記領域を覆うことができる。
従って、シート１８の外形サイズに因らず、開口部Ｘより砂塵や埃等の異物が侵入するのを、より確実に抑制することができる。
【００２７】
防塵部材６は、サイドガイド１３の左右方向（シート１８の幅方向）への変位に追随して伸縮する伸縮部材により構成される。
ここで伸縮部材は、例えば左右方向に伸縮可能な蛇腹構造に折畳まれた矩形状部材６Ａにより構成される。
【００２８】
そして、図４及び図５に示すように、防塵部材６の第１端部、即ち矩形状部材６Ａのサイドガイド１３側の端部６１は、サイドガイド１３に対して第１連結軸６１ａを中心として回動可能に連結固定されている。また、前記第１端部と反対側の第２端部、即ち矩形状部材６Ａの端部６１と反対側の端部６２は、第２連結軸６２ａを中心としてシート支持面５１の前記端部（シート支持面５１のシート１８が支持される側とは反対側の端部）に回動可能に連結固定されている。
【００２９】
このような構成からなる矩形状部材６Ａによって防塵部材６は構成され、例えば図４に示すように、上述した離間位置にサイドガイド１３が位置する場合、防塵部材６は、サイドガイド１３とシート支持面５１の前記端部との間で折畳まれて縮退した状態となる。
一方、図５に示すように、上述した近接位置にサイドガイド１３が位置する場合、防塵部材６は、サイドガイド１３とシート支持面５１の前記端部との間で左右方向に伸長した状態となる。
【００３０】
つまり、防塵部材６は、サイドガイド１３の左右方向（シート１８の幅方向）への変位に追随して伸縮する矩形状部材６Ａからなる伸縮部材により構成される。
このような構成からなる防塵部材６であれば、他に別途、複雑な機構を設けることなく、容易な機構によって防塵部材６を構成することができる。
【００３１】
［第１別実施形態］
上述の実施形態においては、防塵部材６を構成する伸縮部材を、伸縮可能な蛇腹構造からなる矩形状部材６Ａによって構成することとしている。しかしながら、これに限定されることはなく、サイドガイド１３の左右方向（シート１８の幅方向）への変位に追随して伸縮する機能をするものであれば、何れの様な構成であってもよい。
例えば図６に示すように、第１別実施形態として、伸縮部材は、予めロール状に巻き取られており左右方向に引出すことにより伸縮可能な帯状部材６Ｂにより構成される。
【００３２】
そして、図７及び図８に示すように、防塵部材６の第１端部、即ち帯状部材６Ｂのサイドガイド１３側の端部６３は、サイドガイド１３の側面に固定されている。
また、防塵部材６の第１端部と反対側の第２端部、即ち帯状部材６Ｂの前記端部６３と反対側の端部６４（図８を参照）は、シート支持面５１の端部（シート支持面５１のシート１８が支持される側とは反対側の端部）に設けられた支柱６４ａに固定されている。
【００３３】
なお、支柱６４ａは、図示せぬ付勢部材によって、軸心を中心にして帯状部材６Ｂをロール状に巻き取る方向（図７中の矢印Ｂの方向）に付勢されている。また、前記付勢部材の付勢力に抗して引出された帯状部材６Ｂの端部６３は、アイドラ６４ｂを介してその引出し方向を左右方向に変更されている。
【００３４】
このような帯状部材６Ｂにより第１別実施形態の防塵部材６は構成され、図７に示すように、上述の離間位置にサイドガイド１３が位置する場合、防塵部材６は、サイドガイド１３とシート支持面５１の前記端部との間でロール状に巻き取られて縮退した状態となる。
一方、図８に示すように、上述の近接位置にサイドガイド１３が位置する場合、防塵部材６は、サイドガイド１３とシート支持面５１の前記端部との間で左右方向に引出されて伸長した状態となる。
【００３５】
つまり、防塵部材６は、サイドガイド１３の左右方向（シート１８の幅方向）への変位に追随して伸縮する帯状部材６Ｂからなる伸縮部材により構成される。
このような構成からなる防塵部材６であれば、他に別途、複雑な機構を設けることなく、容易な機構によって防塵部材６を構成することができる。
【００３６】
ところで、本実施形態において、シート支持面５１は、サイドガイド１３とシート支持面５１の前記端部（シート支持面５１のシート１８が支持される側とは反対側の端部）との間に形成され、左右方向（シート１８の幅方向）に延出する溝部５２を備えている。
そして、防塵部材６のシート支持面５１側の端部は、溝部５２に摺動可能に嵌挿される構成となっている。
【００３７】
このように、シート支持面５１に形成された溝部５２に対して、防塵部材６のシート支持面５１側の端部を嵌挿することにより、防塵部材６とシート支持面５１との密封性を高めることができる。
従って、シート支持面５１と下部カバー１４との間に形成された開口部Ｘ（図２を参照）における、サイドガイド１３とシート支持面５１の端部との間の領域より砂塵や埃等の異物が侵入するのを、より確実に抑制することができる。
【００３８】
［第２別実施形態］
上述の実施形態及び第１別実施形態においては、サイドガイド１３の左右方向（シート１８の幅方向）への変位に追随して伸縮可能な、伸縮部材（矩形状部材６Ａまたは帯状部材６Ｂ）によって防塵部材６を構成している。しかしながら、防塵部材６の構成についてはこれに限定されるものではない。
例えば、図９に示すように、第２別実施形態における防塵部材６は、回動可能に支持される板状部材６Ｃと、板状部材６Ｃを付勢する付勢部材６Ｄとを備えている。
【００３９】
具体的には、図１０及び図１１に示すように、防塵部材６は、板状部材６Ｃと、付勢部材６Ｄとを備えている。
板状部材６Ｃは、第１端部６５がシート支持面５１の端部（シート支持面５１のシート１８が支持される側とは反対側の端部）に第１回動軸５ａ（図２を参照）と直交する第２回動軸６５ａを中心として回動可能に支持される。
そして、板状部材６Ｃは、シート１８の給送方向（矢印Ａの方向）に沿って延出する第１姿勢（図１０によって示される姿勢）と、前記シート１８の給送方向と交差する方向へ延出する第２姿勢（図１１によって示される姿勢）との間で変位可能に設けられる。
一方、付勢部材６Ｄは、板状部材６Ｃを前記第１姿勢側から前記第２姿勢側へ向けて付勢する。
【００４０】
そして、板状部材６Ｃは、サイドガイド１３の左右方向（シート１８の幅方向）への変位に追随して、付勢部材６Ｄの付勢力によりサイドガイド１３に当接した状態を保持しながら、第２回動軸６５ａを中心として回動する構成となっている。
【００４１】
このような構成からなる防塵部材６であれば、上述の実施形態及び第１別実施形態と同様に、他に別途、複雑な機構を設けることなく、容易な機構によって防塵部材６を構成することができる。
【００４２】
なお、図１２に示すように、サイドガイド１３が最小サイズのシート１８の幅方向の位置を規制する位置（近接位置）に変位すると、防塵部材６（より具体的には板状部材６Ｃ）はサイドガイド１３との当接状態が解除される。
【００４３】
よって、板状部材６Ｃは、付勢部材６Ｄの付勢力により第２回動軸６５ａを中心としてさらにシート支持面５１の端部（シート支持面５１のシート１８が支持される側とは反対側の端部）側へと回動される。
【００４４】
ここで、第２回動軸６５ａの近傍にはストッパー６５ｂが突設されており、板状部材６Ｃの第１端部６５は、ストッパー６５ｂと当接される。
その結果、板状部材６Ｃからなる防塵部材６は、シート１８の給送方向（矢印Ａの方向）と直交する方向へ延出する姿勢となる。
【００４５】
このような構成により、例えば最小サイズのシート１８を用いる場合のように、防塵部材６がサイドガイド１３との当接状態を解除されたとしても、開口部Ｘ（図２を参照）における、サイドガイド１３とシート支持面５１の端部との間の領域を塞ぐことができる。
従って、前記領域より砂塵や埃等の異物が侵入するのを、より確実に抑制することができる。
【００４６】
［本実施形態における効果］
本実施形態における画像記録装置（プリンタ部Ｐ）は、以下のようなシート搬送装置３を備えている。
つまり、シート搬送装置３は、装置本体２と、背面給送トレイ５と、サイドガイド１３とを備えている。
ここで、背面給送トレイ５は、装置本体２に第１回動軸５ａを中心として回動可能に支持され、シート１８を支持するシート支持面５１を有する。また、サイドガイド１３は、シート支持面５１にシート１８の給送方向と直交する方向である幅方向へ移動可能に設けられ、背面給送トレイ５に支持されたシート１８の幅方向の位置を規制する。
【００４７】
また、シート搬送装置３は、サイドガイド１３の下方においてシート支持面５１から離間するとともにシート支持面５１に対向して配置され、シート支持面５１との間に開口部Ｘを形成する下部カバー１４を備えている。
【００４８】
さらに、シート搬送装置３は防塵部材６を備えている。
ここで、防塵部材６は、前記幅方向において、サイドガイド１３とシート支持面５１のシート１８が支持される側とは反対側の端部との間に配置される。また、防塵部材６は、開口部Ｘにおけるサイドガイド１３とシート支持面５１の前記端部との間の領域を、サイドガイド１３の前記幅方向への変位に追随して覆う。
【００４９】
このような構成により、シート１８の外形サイズ（幅方向の寸法サイズ）に基づきサイドガイド１３を移動させることで、開口部Ｘにおけるサイドガイド１３とシート支持面５１の前記端部との間の領域が変化しても、防塵部材６により前記領域を覆うことができる。
従って、シート１８の外形サイズに因らず、開口部Ｘより砂塵や埃等の異物が侵入するのを、より確実に抑制することができる。
【００５０】
また、上述の実施形態及び第１別実施形態により示されるように、防塵部材６の第１端部（即ち、矩形状部材６Ａの端部６１、または帯状部材６Ｂの端部６３）は、サイドガイド１３に固定される。また、防塵部材６の前記第１端部と反対側の第２端部（即ち、矩形状部材６Ａの端部６２、または帯状部材６Ｂの端部６４）は、シート支持面５１の端部（シート支持面５１のシート１８が支持される側とは反対側の端部）に固定される。
これにより、防塵部材６は、サイドガイド１３の左右方向（シート１８の幅方向）への変位に追随して伸縮する伸縮部材（即ち、矩形状部材６Ａまたは帯状部材６Ｂ）として構成される。
【００５１】
このような構成からなる防塵部材６であれば、他に別途、複雑な機構を設けることなく、容易な機構によって防塵部材６を構成することができる。
【００５２】
また、第１別実施形態により示されるように、シート支持面５１は、サイドガイド１３とシート支持面５１の端部（シート支持面５１のシート１８が支持される側とは反対側の端部）との間に形成され、左右方向（シート１８の幅方向）に延出する溝部５２を備える。
また、防塵部材６のシート支持面５１側の端部は、溝部５２に摺動可能に嵌挿されている。
【００５３】
このように、シート支持面５１に形成された溝部５２に対して、防塵部材６のシート支持面５１側の端部を嵌挿することにより、防塵部材６とシート支持面５１との密封性を高めることができる。
従って、シート支持面５１と下部カバー１４との間に形成された開口部Ｘ（図２を参照）における、サイドガイド１３とシート支持面５１の端部との間の領域より砂塵や埃等の異物が侵入するのを、より確実に抑制することができる。
【００５４】
また、第２別実施形態により示されるように、防塵部材６は、第１端部６５がシート支持面５１の端部（シート支持面５１のシート１８が支持される側とは反対側の端部）に第１回動軸５ａと直交する第２回動軸６５ａを中心として回動可能に支持される。
【００５５】
具体的には、防塵部材６は、板状部材６Ｃと、付勢部材６Ｄとを備えている。
ここで、板状部材６Ｃは、シート１８の給送方向に沿って延出する第１姿勢と、シート１８の給送方向と交差する方向へ延出する第２姿勢との間で変位可能に構成される。また、付勢部材６Ｄは、板状部材６Ｃを前記第１姿勢側から前記第２姿勢側へ向けて付勢する。
【００５６】
そして、板状部材６Ｃは、サイドガイド１３の左右方向（シート１８の幅方向）への変位に追随して、付勢部材６Ｄの付勢力によりサイドガイド１３に当接した状態を保持しながら、第２回動軸６５ａを中心として回動する構成となっている。
【００５７】
このような構成からなる防塵部材６であれば、上述の実施形態及び第１別実施形態と同様に、他に別途、複雑な機構を設けることなく、容易な機構によって防塵部材６を構成することができる。
【００５８】
また、第２別実施形態により示されるように、サイドガイド１３が最小サイズのシート１８の幅方向の位置を規制する位置に変位すると、防塵部材６は、サイドガイド１３との当接状態が解除され、シート１８の搬送方向と直交する方向へ延出する姿勢となる。
【００５９】
このような構成により、例えば最小サイズのシート１８を用いる場合のように、防塵部材６がサイドガイド１３との当接状態を解除されたとしても、開口部Ｘ（図２を参照）における、サイドガイド１３とシート支持面５１の端部との間の領域を塞ぐことができる。
従って、前記領域より砂塵や埃等の異物が侵入するのを、より確実に抑制することができる。
【符号の説明】
【００６０】
２    装置本体
３    シート搬送装置
５    背面給送トレイ（給送トレイ）
５ａ    第１回動軸
６    防塵部材
６Ａ    矩形状部材（伸縮部材）
６Ｂ    帯状部材（伸縮部材）
６Ｃ    板状部材
６Ｄ    付勢部材
１３    サイドガイド
１４    下部カバー
１８    シート
２４    記録部（画像記録部）
５１    シート支持面
５２    溝部
６１    端部（第１端部）
６２    端部（第２端部）
６３    端部（第１端部）
６４    端部（第２端部）
６５    端部（第１端部）
６５ａ    第２回動軸
Ｐ    プリンタ部（画像記録装置）
Ｘ    開口部
【図１】
2018165208.tif 000003
【図２】
2018165208.tif 000004
【図３】
2018165208.tif 000005
【図４】
2018165208.tif 000006
【図５】
2018165208.tif 000007
【図６】
2018165208.tif 000008
【図７】
2018165208.tif 000009
【図８】
2018165208.tif 000010
【図９】
2018165208.tif 000011
【図１０】
2018165208.tif 000012
【図１１】
2018165208.tif 000013
【図１２】
2018165208.tif 000014